(57)【要約】【課題】  室温が高い場合でも、結露の心配がなく、快適な湿度で運転が行えることを可能にした加湿器の制御装置を提供することを目的とする。【解決手段】  湿度センサ１と、室温センサ２と、快適湿度データ記憶手段３と、結露が発生する室温と湿度との相関データを記憶した結露データ記憶手段４と、最低室温記憶手段５と、最低室温を更新してからの経過時間を計測をする計時手段６と、前記湿度センサ１と室温センサ２の入力、前記快適湿度データ記憶手段３、結露データ記憶手段４及び最低室温記憶手段５に記憶されたデータ、及び前記計時手段６からの入力に基づいて加湿器の運転を制御する制御手段７を備え、前記制御手段７は前記計時手段６が所定時間を計測するまでは快適湿度を目標湿度として運転を制御し、所定時間を計測した後は結露防止湿度を目標湿度として運転を制御する結露防止モードを有する。【選択図】  図１
2005226907.tif 000002
【特許請求の範囲】
【請求項１】
室内の湿度を検出する湿度センサと、室内の温度を検出する室温センサと、快適な室温と湿度の相関データを記憶した快適湿度データ記憶手段と、窓や壁に結露が発生する室温と湿度との相関データを記憶した結露データ記憶手段と、１日の最低室温を記憶する最低室温記憶手段と、最低室温を更新してからの経過時間を計測をする計時手段と、前記湿度センサと室温センサからの入力、前記快適湿度データ記憶手段、結露データ記憶手段及び最低室温記憶手段に記憶されたデータ、及び前記計時手段からの入力に基づいて加湿器の運転を制御する制御手段を備え、前記制御手段は前記計時手段が所定時間を計測するまでは前記快適湿度データ記憶手段のデータにより快適湿度を目標湿度として運転を制御し、前記計時手段が所定時間を計測した後は前記結露データ記憶手段のデータにより結露防止湿度を目標湿度として運転を制御する結露防止モードを有することを特徴とする加湿器の制御装置。
【請求項２】
前記結露防止モードをオンオフする機能選択スイッチを備えたことを特徴とする請求項１記載の加湿器の制御装置。
【請求項３】
前記最低室温記憶手段は、運転をオフしているときも動作することを特徴とする請求項１記載の加湿器の制御装置。
【請求項４】
前記計時手段が計時する所定時間を、最低室温が記憶される時刻の数時間前の時刻に設定したことを特徴とする請求項１記載の加湿器の制御装置。
【発明の詳細な説明】
【技術分野】
【０００１】
本発明は、室内の加湿を行う加湿器の制御装置に関するものである。
【背景技術】
【０００２】
従来の加湿器においては、室温と相対湿度をセンサより入力し、記憶部に収められている室温に対応して予め定められた目標相対湿度を呼び出し、現在の相対湿度と比較して部屋の湿度を制御し、結露防止を図るようにしている。（例えば、特許文献１参照）。
【０００３】
【特許文献１】特開平４−３３５９４２号公報（第２−３頁、図１−図４）
【発明の開示】
【発明が解決しようとする課題】
【０００４】
従来の加湿器においては、室温と相対湿度をセンサより入力し、記憶部に収められている室温に対応して予め定められた目標相対湿度を呼び出し、現在の相対湿度と比較して部屋の湿度を制御し、結露防止を図るようにしているが、記憶部に収められている室温に対応して予め定められた目標相対湿度は、室温が高くなるにつれ目標相対湿度が実際に必要とされる相対湿度よりも下げられた値で設定されるものであり、室温が高い場合は、押さえられた湿度で運転されるから、快適な湿度が得られないという問題点を有していた。
【０００５】
本発明は、上述のような課題を解決するためになされたもので、室温が高い場合でも結露の心配がなく、快適な湿度で運転が行えることを可能にした加湿器の制御装置を提供することを目的とする。
【課題を解決するための手段】
【０００６】
本発明に係る加湿器の制御装置は、室内の湿度を検出する湿度センサと、室内の温度を検出する室温センサと、快適な室温と湿度の相関データを記憶した快適湿度データ記憶手段と、窓や壁に結露が発生する室温と湿度との相関データを記憶した結露データ記憶手段と、１日の最低室温を記憶する最低室温記憶手段と、最低室温を更新してからの経過時間を計測をする計時手段と、前記湿度センサと室温センサからの入力、前記快適湿度データ記憶手段、結露データ記憶手段及び最低室温記憶手段に記憶されたデータ、及び前記計時手段からの入力に基づいて加湿器の運転を制御する制御手段を備え、前記制御手段は前記計時手段が所定時間を計測するまでは前記快適湿度データ記憶手段のデータにより快適湿度を目標湿度として運転を制御し、前記計時手段が所定時間を計測した後は前記結露データ記憶手段のデータにより結露防止湿度を目標湿度として運転を制御する結露防止モードを有する。
【発明の効果】
【０００７】
本発明に係る加湿器の制御装置は、過去の最低室温と最低室温が更新されるタイミングから室温が低下する時間帯を予測し、その時間帯の所定時間前から目標湿度を下げて運転を行うように制御するので、室温が高い時でも、常時目標湿度を押さえる必要がなく、快適な湿度を維持でき、かつ結露の発生も防止することができる。
【発明を実施するための最良の形態】
【０００８】
実施の形態１．
図１は、本発明の実施の形態１を示す加湿器の制御装置のブロック図である。
図１において、湿度センサ１は室内の湿度を測定するためのものであり、室温センサ２は室内の温度を測定するためのものである。
快適湿度データ記憶手段３には快適な温度と湿度との相間データを予め記憶させており、結露データ記憶手段４には窓や壁に結露が発生する室温と湿度との相関データを予め記憶させている。最低室温記憶手段５は前記室温センサ２で測定した室温の１日（２４時間以内）における最低室温を記憶しておくものであり、運転スイッチ（図示せず）のオンオフとは無関係に動作する。計時手段６は前記最低室温記憶手段５に最低室温が記憶されると、その時点からの経過時間をカウントし、予め設定された所定時間をカウントすると、制御手段７に信号を出力してリセットされる。
加湿器の運転を制御する制御手段７は、前記湿度センサ１と室温センサ２の入力、前記快適湿度データ記憶手段３と結露データ記憶手段４と最低室温記憶手段５に記憶されたデータ、及び前記計時手段６の入力に基づいて目標湿度を適宜決定し、加湿ヒータ８への通電をオンオフ制御する結露防止モードを有している。
【０００９】
次に、上記実施の形態１の動作を図２の制御フローチャートにより詳細に説明する。
まず、ステップＳ１で湿度センサ１により室内の湿度を測定し、ステップＳ２で室温センサ２により室温を測定する。次に、ステップＳ３で現在室温と最低室温記憶手段５に記憶されている最低室温とを比較する。現在室温が最低室温より定常的に低くなった場合は、ステップＳ４で最低室温を更新する。この定常的とは窓の開閉などの短時間の変化は最低室温として記憶しないということである。最低室温を更新すると、ステップＳ５で計時手段６をスタートさせて、ステップＳ６へ進む。
【００１０】
ここで、最低室温を更新してから次の日の最低室温になるまでの時間帯が想定できる理由を実際の室温データを例に説明する。
図３は一般的な住宅の１２月の室温の変化を示したグラフである。
図３において、Ｘ軸は時刻、Ｙ軸は室温である。室温はａ、ｂ、ｃ点のように約２４時間毎に最低値を記録している。これは就寝するときに暖房はオフされるので、室温は下がり始め、そして早朝に最低室温となる。起床時には暖房はオンされるので、室温は上昇する。この最低室温をとる間隔を利用して最低気温の時間帯を予測し、その時間帯の数時間前（本例では、４時間前）になったら目標湿度を下げて部屋の結露を防止する。
【００１１】
ステップＳ６では、加湿器の運転がオンかオフかの判定を行い、加湿器の運転がオフの場合は、ステップＳ１４へ進み、加湿ヒータ８への通電をオフする。一方、加湿器の運転がオンの場合は、ステップＳ７へ進み、現在の室温に対応する快適な湿度を快適湿度データ記憶手段３から読み出す。ステップＳ８では、ステップＳ５でスタートさせた計時手段６が２０時間経過しているかを判定している。ここでは、最低気温になる時間帯の４時間前を設定している。すなわち、２０時間を経過していない場合はステップＳ９で快適湿度データ記憶手段３から読み出した快適湿度を目標湿度に決定する。
【００１２】
図４は本例で使用している快適な温度と湿度の相関データを示すグラフである。
この相関データは快適性とウィルスを不活化やのど粘膜の保護等の健康性も考慮した温度と湿度の相関データである。
【００１３】
ステップＳ８で２０時間を経過すると、ステップＳ１０に進む。このとき、図示していないが、最低室温記憶手段５に記憶されている最低室温と計時手段６の計時動作をリセットしておく。また、一旦、ステップＳ１０に処理が移ると、ステップＳ１１で結露防止湿度が快適湿度を超えるまで、直接ステップＳ９へ行かずにステップＳ１０へ処理が流れる。ステップＳ１０において、最低室温記憶手段５の最低室温に対応する結露防止湿度を結露データ記憶手段４のデータから読み出して決定している。ここで、制御手段７は結露データ記憶手段４から読み出した実際の結露防止湿度よりも２〜３％低い値を結露防止湿度として、結露防止の効果を高めている。また、前日の最低室温を利用することで時期による最低室温の変化に対応できる。ステップＳ１１では、この結露防止湿度とステップＳ７で読み出した快適湿度を比較して結露防止湿度が低い場合は、ステップＳ１２に進み、結露防止湿度を目標湿度として決定する。結露防止湿度が快適湿度より高い場合は、ステップＳ９で快適湿度を目標湿度として決定する。
【００１４】
ステップＳ９またはステップＳ１２で目標湿度を決定した後、ステップＳ１３で現在湿度と目標湿度の比較を行い、現在湿度が目標湿度より低い場合は、ステップＳ１５で加湿ヒータ８をオンする。また、現在湿度が目標湿度より高い場合は、ステップＳ１４で加湿ヒータ８をオフする。本例では、加湿ヒータ８の制御を単純なオン／オフ制御で説明しているが、現在湿度と目標湿度の差に比例した位相制御等としてもよい。ステップＳ１４及びステップＳ１５を終了すると、ステップＳ１から上記処理を繰り返し行う。
【００１５】
図５は上記実施の形態１における動作を示すタイムチャートである。
図５において、上から順に、室温センサ２で測定された室温の変化、計時手段６の計測値、制御手段７の目標湿度が快適湿度または結露防止湿度に切り換るタイミング、一番下は湿度センサ１で測定された室内湿度の変化である。
まず、ｄ点のスタート時は、最低室温のデータがないため、目標湿度は快適湿度で運転する。次に、室温が下がってｅ点で最低値となると、その時の室温が最低室温として最低室温記憶手段５に記憶され、計時手段６がリセットされ、計測を開始する。これ以降に最低値が更新される度に、計時手段６は再度リセットがかかり、再計測となる。
【００１６】
最低室温の更新以降、室温が上昇しても２０時間が経過するまでは、目標湿度を快適湿度で運転するので、快適湿度に保たれる。最低室温の記憶から２０時間が経過（ｆ点）すると、目標湿度はｅ点で記憶した最低室温の結露湿度近傍まで下がる。その後室温は下がり続けるが、室内の湿度は下がっているので、結露は発生しない。
こうして、再度最低室温を更新（ｇ点）すると、計時手段６は次の計測を開始する。室温が低い間は、目標湿度を結露防止湿度で運転をし続け、室温が上昇して結露防止湿度が上昇して快適湿度を上回る（ｈ点）と、目標湿度を快適湿度に戻して運転を行う。
【００１７】
このように、上記実施の形態１に示す加湿器の制御装置によれば、過去の最低室温と最低室温が更新されるタイミングから室温が低下する時間帯を予測し、その時間帯の所定時間前から目標湿度を下げて運転を行うようにしているので、高温時でも常時目標湿度を押さえる必要がなく、快適な湿度を維持でき、結露防止も図れるという効果が得られる。
【００１８】
実施の形態２．
次に、本発明の実施の形態２について説明する。
図６は本発明の実施の形態２における加湿器の制御装置のブロック図であり、図７は実施の形態２における加湿器の制御装置の動作を示すフローチャートである。図１及び図２と同一部分は説明を省略して異なる部分のみ説明する。
図６において、機能切換スイッチ９は制御手段７の結露防止モードをオンオフするスイッチであり、この機能切換スイッチ９をオフにした場合は、常に目標湿度を快適湿度にセットして運転し、オンにした場合は、上記実施の形態１で説明した運転と同じ制御を行うようになっている。
【００１９】
すなわち、ステップＳ７で快適湿度を読み出した後、ステップ７Ａで機能切換スイッチ９がオフであれば、ステップＳ９にジャンプして計時手段６の計測値に関係なく、快適湿度を目標湿度に設定して運転を制御し、ステップ７Ａで機能切換スイッチ９がオンであれば、上記実施の形態１と同じ制御を行うようになっている。
【００２０】
このように、上記実施の形態２によれば、制御手段７の結露防止モードをオンオフする機能能切換スイッチ９を設けているので、常に目標湿度を快適湿度にセットして制御する運転と、最低室温になる時間帯の所定時間前に目標湿度を快適湿度から結露防止湿度に切換えて制御する運転のどちらでも、使用者が任意に選ぶことができる。
【図面の簡単な説明】
【００２１】
【図１】本発明の実施の形態１を示す加湿器の制御装置のブロック図である。
【図２】同実施の形態１における制御フローチャートである。
【図３】一般的な住宅の１２月の室温の変化のグラフである。
【図４】本発明の実施の形態１における動作タイムチャートである。
【図５】同実施の形態１における快適な温度と湿度の相関データである。
【図６】本発明の実施の形態２を示す加湿器の制御装置のブロック図である。
【図７】同実施の形態２における制御フローチャートである。
【符号の説明】
【００２２】
１    湿度センサ
２    室温センサ
３    計時手段
４    最低室温記憶手段
５    結露データ記憶手段
６    快適湿度データ記憶手段
７    制御手段
８    加湿ヒータ
【図１】
2005226907.tif 000003
【図２】
2005226907.tif 000004
【図３】
2005226907.tif 000005
【図４】
2005226907.tif 000006
【図５】
2005226907.tif 000007
【図６】
2005226907.tif 000008
【図７】
2005226907.tif 000009